(57)【要約】【課題】殺菌機能を備えた歯ブラシ収納ケースの提供。【解決手段】ケース体、歯ブラシ固定台、オゾン発生器、マイナスイオン発生器、紫外線灯、該紫外線灯外を覆包固定するナノシルバー抗菌フィルターにより組成する。該歯ブラシ固定台と該紫外線灯管は該ケース体内部表面に結合し、該オゾン発生器と該マイナスイオン発生器が該ケース体内部表面後方の空間内に位置する。該歯ブラシ収納ケースを電源につなぐと、該ナノシルバー抗菌フィルターを覆包する紫外線灯管と該オゾン発生器及び該マイナスイオン発生器は運転し、歯ブラシに対して殺菌を行う。また該マイナスイオン発生器が発生するマイナスイオンは歯ブラシ収納ケースに対して除湿を行うことができ、湿気により歯ブラシに臭いやカビが発生することを防止することができる。【選択図】図２
0003127817.tif 000002
【実用新案登録請求の範囲】
【請求項１】
ケース体、空間、歯ブラシ固定台、灯管、抗菌フィルターを含み、
該ケース体はケース蓋を備え、
該空間は該ケース体内部に位置し、該空間内にはオゾン発生器とマイナスイオン発生器を備え、
該歯ブラシ固定台は該ケース対内部表面に結合し、該歯ブラシ固定台上には複数の歯ブラシ固定凹槽を設置し、
該灯管は該歯ブラシ固定台上方に位置し、
該抗菌フィルターは該灯管表面に覆包固定し、しかも該抗菌フィルター表面にはナノ金属が付着することを特徴とする殺菌機能を備えた歯ブラシ収納ケース。
【請求項２】
請求項１記載の殺菌機能を備えた歯ブラシ収納ケースにおいて、前記灯管は紫外線灯であることを特徴とする殺菌機能を備えた歯ブラシ収納ケース。
【請求項３】
請求項１記載の殺菌機能を備えた歯ブラシ収納ケースにおいて、前記灯管はナノテクノロジー灯管であることを特徴とする殺菌機能を備えた歯ブラシ収納ケース。
【請求項４】
請求項１記載の殺菌機能を備えた歯ブラシ収納ケースにおいて、前記ナノ金属の材質はナノシルバーであることを特徴とする殺菌機能を備えた歯ブラシ収納ケース。
【請求項５】
請求項１記載の殺菌機能を備えた歯ブラシ収納ケースにおいて、前記ナノ金属は層状体であることを特徴とする殺菌機能を備えた歯ブラシ収納ケース。
【請求項６】
請求項１記載の殺菌機能を備えた歯ブラシ収納ケースにおいて、前記ナノ金属は散布される複数の顆粒分子であることを特徴とする殺菌機能を備えた歯ブラシ収納ケース。
【請求項７】
請求項１記載の殺菌機能を備えた歯ブラシ収納ケースにおいて、前記抗菌フィルターは孔構造を備えたフィルターであることを特徴とする殺菌機能を備えた歯ブラシ収納ケース。
【請求項８】
請求項１記載の殺菌機能を備えた歯ブラシ収納ケースにおいて、前記抗菌フィルターは繊維体であることを特徴とする殺菌機能を備えた歯ブラシ収納ケース。
【請求項９】
請求項８記載の殺菌機能を備えた歯ブラシ収納ケースにおいて、前記繊維体は布材であることを特徴とする殺菌機能を備えた歯ブラシ収納ケース。
【請求項１０】
請求項８記載の殺菌機能を備えた歯ブラシ収納ケースにおいて、前記繊維体は紙材であることを特徴とする殺菌機能を備えた歯ブラシ収納ケース。
【請求項１１】
請求項１記載の殺菌機能を備えた歯ブラシ収納ケースにおいて、前記ケース体背面部には複数の吸盤を設置し、該ケース体は透明であることを特徴とする殺菌機能を備えた歯ブラシ収納ケース。
【考案の詳細な説明】
【技術分野】
【０００１】
本考案は一種の殺菌機能を備えた歯ブラシ収納ケースに関する。特に一種のナノシルバーを覆包固定した抗菌フィルターを利用する紫外線灯管、オゾン、マイナスイオンを利用し殺菌する歯ブラシ収納ケースに係る。
【背景技術】
【０００２】
歯磨きは一般人の日常生活において、なくてはならない日常行動である。あらゆる現代人は幼い内に、起床後と寝る前には歯磨きを習慣付けるようしつけられ、さらには３食後の歯磨きを教える衛生を重視する家庭もある。こうして歯の清潔を保つことで、口腔の衛生を維持し、歯を美しく保つのである。このように子供の頃に歯磨きを習慣付けた人に虫歯が発生する確率は非常に低く、後の歯周病を予防する効果も極めて高いことが分かっている。
【０００３】
歯磨きは口腔の清潔を維持するための衛生習慣であるが、我々が歯磨きに用いている道具−歯ブラシ、特にブラシの部分は細菌及びウィルスが繁殖し易い場所であるということが、忘れられてしまっている。歯の隙間の食べ物のかすや歯垢を取り除いた後に水で洗い流した後、それでも残留している微量な残留物は細菌の発生を招いている。この衛生習慣から派生する「衛生問題」を解決するために、細菌繁殖の可能性を減少させようと、巷では歯ブラシ用の多種の殺菌消毒水や細菌の繁殖を予防可能な新型の歯ブラシ設計が開発されている。
【０００４】
消毒水により定期的に歯ブラシを洗浄する方式は、一般的には消毒の過程で時間を浪費し不経済で、さらには消毒水がブラシ内等に残留する恐れもある。また多忙にまぎれ歯ブラシへの殺菌消毒を忘れることも多いため、該方法は大多数の人には採用されておらず、徐々に他の方法と方式に取って代わられるようになっている。例えば、市場で声高に喧伝されている抗菌効果を備えた新型の歯ブラシもその一つの例である。多くの歯ブラシメーカーはナノテクノロジーを用いた抗菌歯ブラシ設計を売り出し、その歯ブラシを使用すれば細菌のブラシ内などでの繁殖の状況を心配する必要はなく、特に忙しい会社員の使用に適していると広告している。
【０００５】
しかしそのいわゆる抗菌効果は買ったばかりの数週間だけに存在するもので、使用期間が長くなれば効果は徐々に減少して行き、細菌が繁殖し易くなる。わずか数週間だけの抗菌効果であるのに価格は非常に高く、消費者をだましていると言っても過言ではなく、価格に見合う効果は得られない。
【考案の開示】
【考案が解決しようとする課題】
【０００６】
本考案の主目的は殺菌機能を備えた歯ブラシ収納ケースを提供する。歯ブラシ収納ケース内部にナノ金属を付着させた灯管を設置し、オゾンとマイナスイオンの発生装置により殺菌効果を達成する。歯ブラシを歯ブラシ収納ケース内に入れると殺菌を行い、歯ブラシのブラシ内に繁殖する細菌を排除することができ、歯ブラシが不潔であるため細菌に感染する恐れを払拭することができる。
【０００７】
本考案のもう一つの目的は、ケース体を利用し歯ブラシの収納を行う装置で、該ケース体のデザイン設計と外部の色図案の組合せを通して、浴室内の美観を増加することができる。
【０００８】
さらにそれはケース体の方式を採用し収納する装置で、該ケース体の収納を通して歯ブラシが空気に触れ、あまりに多くのほこりに接触し歯ブラシが風化し老化し、これによりブラシが弾力を失うのを防止し、歯ブラシを収納ケースに収納されある一定の時間使用しなくても、再度取り出し使用する時に老化しているという状況は発生せずる。
【０００９】
すなわちそれは、半円形のプラスチックケース体を提供し、該半円形ケース体の弧状面部分は可動蓋体で、該蓋体と該ケース体の間は可動栓により連結し、歯ブラシ収納ケースは自由に開閉可能で、該ケース体内部には歯ブラシ固定台を設置し、一体成型で該ケース体内部表面に連結し、或いはネジにより該ケース体内に固定し、該歯ブラシ固定台上には複数の歯ブラシ固定凹槽を設置し、歯ブラシを置くことができる。該歯ブラシ固定台上方にはナノシルバー殺菌光灯管を設置し、該ナノシルバー殺菌光灯管は紫外線灯及び該紫外線灯管外を包覆固定する抗菌フィルターにより組成し、歯ブラシが該歯ブラシ固定台上の凹槽におかれると、灯管は近い距離で効率的に歯ブラシのブラシに対して殺菌を行い、別に該ケース体の歯ブラシ固定台背面部には空間を備え、該空間内にはオゾン発生器とマイナスイオン発生器を設置する。歯ブラシ収納ケースが閉鎖状態にある時には、発生したオゾンとマイナスイオンは空気孔を通して排出され、歯ブラシ収納ケース内部の空間に対して殺菌を行い、オゾンとマイナスイオンにより空気浄化により歯ブラシに細菌が繁殖することを防止し、また殺菌効果を備えたマイナスイオン自身は除湿特性を備えるため、収納ケースと歯ブラシのブラシに対して除湿作用を行い、歯ブラシに湿気によって臭いやカビが発生することを防止する。
【００１０】
さらにそれは家族そろって使用可能な歯ブラシ収納ケースを提供し、歯ブラシ固定台上には多数組の歯ブラシ固定凹槽を設置し、家族全員が１組の歯ブラシ収納ケースで全員の歯ブラシに対して砂金処理を施すことができ、家族一人一人が各１個を購入する必要がなく、非常に経済的に実用的である。
【００１１】
またそれは歯ブラシ収納ケースの背面に複数の吸盤を設置し、吸盤を通して歯ブラシ収納ケースは吸着方式によりタイル、ガラス、鏡上に固定され、これはしばしば浴室内に設置される歯ブラシ収納ケースにとって非常に便利な設計で、歯ブラシ収納ケースを掛けて取り付けるために浴室の壁に孔を開ける必要がなく、歯ブラシ収納ケースは電源コンセントに近い位置に取り付け、電源に便利に接続することができる殺菌機能を備えた歯ブラシ収納ケースを提供する。
【課題を解決するための手段】
【００１２】
請求項１の考案は、ケース体、空間、歯ブラシ固定台、灯管、抗菌フィルターを含み、該ケース体はケース蓋を備え、
該空間は該ケース体内部に位置し、該空間内にはオゾン発生器とマイナスイオン発生器を備え、
該歯ブラシ固定台は該ケース対内部表面に結合し、該歯ブラシ固定台上には複数の歯ブラシ固定凹槽を設置し、
該灯管は該歯ブラシ固定台上方に位置し、
該抗菌フィルターは該灯管表面に覆包固定し、しかも該抗菌フィルター表面にはナノ金属が付着することを特徴とする殺菌機能を備えた歯ブラシ収納ケースとしている。
請求項２の考案は、請求項１記載の殺菌機能を備えた歯ブラシ収納ケースにおいて、前記灯管は紫外線灯であることを特徴とする殺菌機能を備えた歯ブラシ収納ケースとしている。
請求項３の考案は、請求項１記載の殺菌機能を備えた歯ブラシ収納ケースにおいて、前記灯管はナノテクノロジー灯管であることを特徴とする殺菌機能を備えた歯ブラシ収納ケースとしている。
請求項４の考案は、請求項１記載の殺菌機能を備えた歯ブラシ収納ケースにおいて、前記ナノ金属の材質はナノシルバーであることを特徴とする殺菌機能を備えた歯ブラシ収納ケースとしている。
請求項５の考案は、請求項１記載の殺菌機能を備えた歯ブラシ収納ケースにおいて、前記ナノ金属は層状体であることを特徴とする殺菌機能を備えた歯ブラシ収納ケースとしている。
請求項６の考案は、請求項１記載の殺菌機能を備えた歯ブラシ収納ケースにおいて、前記ナノ金属は散布される複数の顆粒分子であることを特徴とする殺菌機能を備えた歯ブラシ収納ケースとしている。
請求項７の考案は、請求項１記載の殺菌機能を備えた歯ブラシ収納ケースにおいて、前記抗菌フィルターは孔構造を備えたフィルターであることを特徴とする殺菌機能を備えた歯ブラシ収納ケースとしている。
請求項８の考案は、請求項１記載の殺菌機能を備えた歯ブラシ収納ケースにおいて、前記抗菌フィルターは繊維体であることを特徴とする殺菌機能を備えた歯ブラシ収納ケースとしている。
請求項９の考案は、請求項８記載の殺菌機能を備えた歯ブラシ収納ケースにおいて、前記繊維体は布材であることを特徴とする殺菌機能を備えた歯ブラシ収納ケースとしている。
請求項１０の考案は、請求項８記載の殺菌機能を備えた歯ブラシ収納ケースにおいて、前記繊維体は紙材であることを特徴とする殺菌機能を備えた歯ブラシ収納ケースとしている。
請求項１１の考案は、請求項１記載の殺菌機能を備えた歯ブラシ収納ケースにおいて、前記ケース体背面部には複数の吸盤を設置し、該ケース体は透明であることを特徴とする殺菌機能を備えた歯ブラシ収納ケースとしている。
【考案の効果】
【００１３】
本考案は歯ブラシ収納ケース内部にナノ金属を付着させた灯管を設置し、オゾンとマイナスイオンの発生装置により殺菌効果を達成する。歯ブラシを歯ブラシ収納ケース内に入れると殺菌を行い、歯ブラシのブラシ内に繁殖する細菌を排除することができ、歯ブラシが不潔であるため細菌に感染する恐れを払拭することができる。
【考案を実施するための最良の形態】
【００１４】
図１に示すように、本考案は半円形のプラスチックケース体１を提供する。該ケース体１の弧状面部分はケース蓋２で、該ケース体１と該ケース蓋２間は可動栓３により連結される。こうして該ケース体１と該ケース蓋２は連結し、自由に動き開閉可能となる。
該ケース体１内には平面１０上に歯ブラシ固定台６を結合し、該台上には複数の歯ブラシ固定凹槽５を設置する。該歯ブラシ固定凹槽５は歯ブラシのブラシ下方の柄との接触を通して、歯ブラシ固定の効用を達成する。
別に該歯ブラシ固定凹槽５上方位置にはナノシルバー殺菌光灯管４を設置し、該ナノシルバー殺菌光灯管４が発光すると殺菌処理を行うことができる。
また該平面１０下方には空間９を形成し、該空間９中にはオゾン発生器１２とマイナスイオン発生器１３を設置し、輸送管１４を接続しそれが発生したオゾンとマイナスイオンを該空間９と該平面１０が相互に通じる空気孔８に輸送する。
さらに歯ブラシ収納ケースの背面には複数の吸盤７を設置し、歯ブラシ収納ケースは該吸盤７を通してタイル、ガラス、鏡などの場所に固定される。
【００１５】
該ナノシルバー殺菌光灯管４の細部構造は、図４〜６に示すように、紫外線灯４１、抗菌フィルター素材である繊維体４２を含む。該繊維体４２は該紫外線灯４１の表面に固定し、両者は共に殺菌機能を備え、それを統合することにより殺菌能力を増強することができる。
該紫外線灯４１は波長が260ナノの紫外線光を発散し、しかも該波長はウィルス或いは細菌の遺伝子(DNAとRNA)に対して強力な破壊性を備える。よって微生物は適当な時間の照射により、遺伝子が破壊され繁殖不能となり、殺菌効果を達成することができる。
該抗菌フィルターの材質は前記の繊維体４２で、該繊維体４２は紙材或いは布材で、該抗菌フィルターは孔構造を備えたフィルター４３とすることもできる(図７参照)。該抗菌フィルターの表面には殺菌消臭機能を備えたナノシルバーを付着させ、しかも該ナノシルバーは層状の型式で該抗菌フィルター表面に付着させることができ、或いは顆粒分子の携帯電話端末で該フィルター材表面に散布し付着させることができる。
次に図５、６に示すように、使用時には表面にナノシルバーを含む抗菌フィルターを接着或いは嵌設の方式で該紫外線灯４１の外表面上に覆包固定する。なお該覆包固定方式は実施例の一つでこれに限定されるものではない。微生物或いは不快な臭いを含んだ空気が該ナノシルバー殺菌光灯管４を通過すると、抗菌フィルター上のナノシルバーは殺菌能力を備えた紫外線灯４１と協同で迅速かつ強力な殺菌消臭効果を達成する。
【００１６】
次に本考案殺菌機能を備えた歯ブラシ収納ケースの立体図である図２に示すように、歯ブラシ１１を該歯ブラシ固定台６上におく時の該歯ブラシ１１の固定方式は歯ブラシの正面を該歯ブラシ固定凹槽５に持たせかけるようにし、歯ブラシ１１のブラシ正面が該ケース体１に向くようにする。該歯ブラシ１１を該歯ブラシ固定台６上に置く時、該歯ブラシ固定台６上方に位置するナノシルバー殺菌光灯管４と該歯ブラシ１１のブラシは接近し、これにより該ナノシルバー殺菌光灯管４の殺菌効果は該歯ブラシ１１のブラシ内部深くに届く。
また歯ブラシ収納ケースを閉鎖した状態時には、該ケース蓋２と該ケース体１は密着し密閉空間を形成し、この時、該空間９中に位置するマイナスイオン発生器１３とオゾン発生器１２は運転を開始する。さらに該輸送管１４を通じて、発生したオゾンとマイナスイオンを該空気孔８に輸送し、該収納ケース内部に送入し、内部空間の空気に対して浄化を行い、殺菌効果を達成する。
該マイナスイオン発生器１３を通して発生したマイナスイオンはそれ自身が除湿特性を持つため、歯ブラシ収納ケースが密封されている時の湿気による歯ブラシにおけるカビや臭気の発生を防止することができる。
次に本考案殺菌機能を備えた歯ブラシ収納ケースのタイル壁１５に取り付けた状態の断面図である図３に示すように、歯ブラシ収納ケースは該ケース体１背面部の吸盤７によりタイル表面に吸着し、浴室のタイル壁１５に掛けた状態で取り付けることができる。
【００１７】
続いて、本考案殺菌機能を備えた歯ブラシ収納ケースのナノシルバー殺菌光灯管の別実施例分解図である図８に示すように、収納ケース１６内の垂直ケース底面方向には板体１７を嵌設する。該板体１７上には複数の円孔１７１を設置し、該各円孔１７１内縁にはプラスチック或いはゴム材質により製造する軟性クッション１７２を設置する。該軟性クッション１７２は花びら状にカットし、中央には歯ブラシ１８の棒体前方部分を嵌設、支える通路を形成する。こうして該歯ブラシ１８のブラシ面は該板体１７前方のナノシルバー殺菌光灯管４に対応し、該ナノシルバー殺菌光灯管４が発光すると殺菌処理を行うことができる。
該歯ブラシ１８の棒体後端部分は側板１９上に接触する。該側板１９は取外し式で、該収納ケース１６底面に垂直に設置され、該側板１９の片側には該円孔１７１と相対する複数の凸円輪郭面１９１を設置する。該歯ブラシ１８棒体後端が該凸円輪郭面１９１下縁に接触すると、該歯ブラシ１８は傾斜状を呈するため、該歯ブラシ１８のブラシ面に残留していた水は該歯ブラシ１８棒体に沿って該凸円輪郭面１９１に向かい流れ、一定の時間毎に該側板１９を取り出し、水を捨てることができる。
【００１８】
本実施例中のケース蓋１６１とケース体１６２の接続方式は第一実施例とは異なり、該ケース体１６２の両側の内側面に表面に出ない形式の短槽道１６２１を開設する。該ケース体１６１の両側には該槽道１６２１においてスライド移動可能な凸柱１６１１を設置し、該凸柱１６１１は該槽道１６２１後端へと押される。該ケース体１６２と該ケース蓋１６２が密閉されると、該凸柱１６１１は該槽道１６２１前端(該ナノシルバー殺菌光灯管４に近づく方向)へと押され、該凸柱１６１１と該槽道１６２１の間の係合によりピボットを形成し、こうして該ケース蓋１６１は開かれる。
【図面の簡単な説明】
【００１９】
【図１】本考案殺菌機能を備えた歯ブラシ収納ケースの立体図である。
【図２】本考案殺菌機能を備えた歯ブラシ収納ケースの立体図である。
【図３】本考案殺菌機能を備えた歯ブラシ収納ケースの壁に取り付けた状態の断面図である。
【図４】本考案殺菌機能を備えた歯ブラシ収納ケースのナノシルバー殺菌光灯管の分解図である。
【図５】本考案殺菌機能を備えた歯ブラシ収納ケースのナノシルバー殺菌光灯管の組合せ図である。
【図６】本考案殺菌機能を備えた歯ブラシ収納ケースのナノシルバー殺菌光灯管の断面図である。
【図７】本考案殺菌機能を備えた歯ブラシ収納ケースのナノシルバー殺菌光灯管の別実施例組合せ図である。
【図８】本考案殺菌機能を備えた歯ブラシ収納ケースのナノシルバー殺菌光灯管の別実施例分解図である。
【符号の説明】
【００２０】
１  ケース体
２  ケース蓋
３  可動栓
４  ナノシルバー殺菌光灯管
４１  紫外線灯
４２  繊維体
４３  フィルター
５  歯ブラシ固定凹槽
６  歯ブラシ固定台
７  吸盤
８  空気孔
９  空間
１０  平面
１１  歯ブラシ
１２  オゾン発生器
１３  マイナスイオン発生器
１４  輸送管
１５  タイル壁
１６  収納ケース
１６１  ケース蓋
１６１１  凸柱
１６２  ケース体
１６２１  槽道
１７  板体
１７１  円孔
１７２  軟性クッション
１８  歯ブラシ
１９  側板
１９１  凸円輪郭面
【図１】
0003127817.tif 000003
【図２】
0003127817.tif 000004
【図３】
0003127817.tif 000005
【図４】
0003127817.tif 000006
【図５】
0003127817.tif 000007
【図６】
0003127817.tif 000008
【図７】
0003127817.tif 000009
【図８】
0003127817.tif 000010